(57)【特許請求の範囲】
【請求項１】
収納部の前面に前板部を備えるとともに、前板部の裏面を覆う収納プレートを備えたキャビネットであって、収納プレートは前板部と略同幅であるとともに、収納プレートの下端部に収納部の内側に突出する突出部が形成され、突出部は物品が載置可能であるとともに、収納部の底面を保護しており、収納プレートの上端部に、収納プレートを支持する嵌合部が形成されていることを特徴とするキャビネット。
【請求項２】
請求項１記載のキャビネットであって、収納プレートには収納物を保持するための保持部材を着脱可能に取り付け可能であることを特徴とするキャビネット。
【請求項３】
請求項１または２記載のキャビネットであって、嵌合部に嵌合する被嵌合部を備えた補助収納部が前板部の上部に形成されていることを特徴とするキャビネット。
【発明の詳細な説明】
【技術分野】
【０００１】
本発明は、収納部の前板の裏面に取り付けられる収納プレートを備えたキャビネットに関する。
【背景技術】
【０００２】
従来、キッチンのキャビネットの引き出しや扉の裏面に、物を置くスペースを設けた構成は知られている。例えば、厨房家具において、深い引き出しの前板の背面に着脱自在な縦形ポケットを設ける構成が知られている（特許文献１参照）。
【０００３】
台所用キャビネット（流し台）の扉の裏面にまな板収納用の網篭を設けた構成が知られている（特許文献２参照）。さらに、流し台直下のシンクの上段引き出しの前面板の裏面に、包丁落とし込み収納ボックスと吊り下げ用支持プレートを固設した構成が知られている（特許文献３参照）。
【特許文献１】特開２００４−２９０４２０号公報
【特許文献２】実用新案登録第３００８４７５号公報
【特許文献３】実用新案登録第３０９９３６６号公報
【発明の開示】
【発明が解決しようとする課題】
【０００４】
収納部の前板の裏面のスペースは、収納部を少し引けば手が簡単に届くので、使い勝手のよい収納部である。特に、まな板、包丁、鍋蓋等を立てて収納できると便利である。しかし、これらの収納物品は、水気が付いている場合が多く、収納部の底板（木質材）の上に置くと膨れ等が発生する恐れがある。
【０００５】
本発明は、収納部の前板の裏面のスペースに、まな板、包丁、鍋蓋等を立てて、しかも収納部の底板に直接触れることなく収納でき、しかも、収納物品を倒れることなくしっかりと保持することが可能な構成の前板の裏面収納を実現することである。
【課題を解決するための手段】
【０００６】
本発明は上記課題を解決するために、収納部の前面に前板部を備えるとともに、前板部の裏面を覆う収納プレートを備えたキャビネットであって、収納プレートは前板部と略同幅であるとともに、収納プレートの下端部に収納部の内側に突出する突出部が形成され、突出部は物品が載置可能であるとともに、収納部の底面を保護しており、収納プレートの上端部に、収納プレートを支持する嵌合部が形成されていることを特徴とするキャビネットを提供する。  
【０００７】
前記キャビネットにおいて、収納プレートには収納物を保持するための保持部材を着脱可能に取り付け可能であることが好ましい。
【０００９】
前記キャビネットにおいて、嵌合部に嵌合する被嵌合部を備えた補助収納部が前板部の上部に形成されていることが好ましい。
【発明の効果】
【００１０】
本発明によれば、収納部の前板部の裏面のスペースに、まな板、包丁、鍋蓋等を立てて、しかも収納部の底板に直接触れることなく収納でき、しかも、収納物品をしっかりと保持することが可能となる。
【発明を実施するための最良の形態】
【００１１】
本発明に係るキャビネットを実施するための最良の形態を実施例に基づき図面を参照して、以下説明する。
【実施例１】
【００１２】
図１〜４は、本発明のキャビネットの実施例１の構成を説明する図である。図１（ａ）、（ｂ）は、実施例１のキャビネット１を説明する図である。このキャビネット１は、収納部２と、収納部２の上部に設けられた天板３と、天板３に設けられたシンク４とを備えている。
【００１３】
収納部２は、引き出し収納部であっても、左右に開閉する開閉扉を有する収納部であってもよいが、本実施例では、複数段の引き出し収納部から成る。最上段の引き出し収納部５は、図１（ｂ）、図２（ａ）に示すように、前板部６、左右両側の側板７、７、底板８及び背板（図示せず。）とを備えている。前板部６の上部に、かつその一部が前板部６より前方に位置するように補助収納部９が設けられている。
【００１４】
補助収納部９は、図２（ａ）及び図３（ａ）、（ｃ）に示すように、収納部を形成する前面壁１０、左右両側の側壁１１、１１、及び底壁１２を備えており、さらに、前板部６に固定するために取付板１３とを備えている。
【００１５】
取付板１３は、左右両側の側壁１１、１１を橋絡し、垂直に形成されている。取付板１３は、前板部６の背面にネジ止めされて固定され、これにより、補助収納部９が前板部６に取り付けられる。引き出し収納部５と補助収納部９は、収納スペースが一体となっているが、取付板１３の上部を高くすることにより、部分的に仕切るような構成としてもよい。
【００１６】
取付板１３の下部には被嵌合用の凹溝１４（被嵌合部）が形成されている。この凹溝１４により、図２（ａ）、図３（ｃ）に示すように、引き出し収納部５の前板部６の裏面側に、前板部６の裏面を覆う収納プレート１５が取り付け可能となる。収納プレート１５の長さ（左右方向の横幅）は、引き出し収納部５の両側側壁１１、１１の間の長さと同じであり、キャビネット１の前板部６と横幅（左右方向の幅）と略同じであり、前板部６の裏面の略全面を覆っている。
【００１７】
収納プレート１５は、その側面形状を図２（ｂ）及び図３（ｂ）に示すように、垂直状の本体部１６と、この本体部１６の下端からキャビネット１の奥方向（引き出し収納部５の内側方向）に向かう突出部１７（底部）と、突出部１７の奥端から上方に伸びる折り返し部１８と、本体部１６の上端から前方に突き出るように形成された嵌合用の凸条部１９（嵌合部）から形成されている。
【００１８】
さらに、本体部１６には、断面フック状の嵌合溝２０が形成されている。この嵌合溝２０には、後記する実施例２で説明するようなサポート部材が着脱可能に嵌合して装着できる。
【００１９】
図３（ａ）は、収納プレート１５が装着されていない状態の引き出し収納部５及び補助収納部９の構成を示している。収納プレート１５の凸条部１９を被嵌合用の凹溝１４に嵌合することにより、図３（ｃ）に示すように、収納プレート１５を引き出し収納部５の背面側に装着することができる。装着された収納プレート１５の突出部１７は、引き出し収納部５の底板８に当接して支持される。
【００２０】
補助収納部９の上方には、凭れバー２１がキャビネット１に固定されて設けられている。この凭れバー２１は、キャビネット１の左右両側の側板２２、２２間に延び、水平部２３と、水平部２３の前端から湾曲状に折り返された凭れ部２４とから形成されている。水平部２３の基端部２５（キャビネット１の奥方向の端部）の両側面が、キャビネット１の左右両側の側板２２、２２に固定されている。
【００２１】
この凭れバー２１は、引き出し収納部５が図１、図３（ｃ）に示すように閉じている状態において、使用者が凭れることのできる凭れバーとして機能するとともに、補助収納部９の上部開口を閉じる、蓋部材としても機能する。
【００２２】
（作用）
実施例１のキャビネット１の作用を、図１〜４において、その使用例により説明する。収納プレート１５は、その凸条部１９（嵌合部）を、補助収納部９の取付板１３の凹溝１４（被嵌合部）に嵌合し、引き出し収納部５の底板８上に置くことで、前板部６の背面側に着脱可能に装着される（図２（ａ）、図３（ｃ）参照）。
【００２３】
補助収納部９は、引き出し収納部５と一体で引き出すことができ、図１（ｂ）に示すように、引き出し収納部５をキャビネット１に押し込んだ状態では、補助収納部９は、凭れバー２１によって上方開口を閉じることができる。また、使用者はこの凭れバー２１に凭れることができる。
【００２４】
補助収納部９を開く場合は、図４（ａ）に示すように、使用者が、前板部６の前面に取り付けられた取手２６を把持して、引き出し収納部５を前方に引くことにより、開くことが可能である。この状態で、補助収納部９内に、物品を収納したり、物品を取り出ししたりすることが可能となる。
【００２５】
そして、図４（ｂ）に示すように、引き出し収納部５をさらに前方に引くと、引き出し収納部５を開くことができる。この状態で、収納プレート１５に、皿等の薄い物品２７を立てかけて収納したり取り出したりして使用することができる。また、引き出し収納部５へ物品を収納したり、物品を取り出ししたりすることが可能となる。
【００２６】
収納プレート１５に収納される物品２７は、突出部１７に載置され折り返し部１８によって支持されるので、引き出し収納部５の底板８に直接接触することなく、また物品２７に付着している水が引き出し収納部５の底板８を濡らすことがないので、底板８を保護することが可能となる。
【００２７】
（実施例１の変形例）
図５は、実施例１の変形例を示す図である。この変形例が上記実施例１と異なる点は、取付板１３の凹溝（被嵌合部）の形状と、この凹溝に嵌合する収納プレート１５の上端の嵌合部の形状のみであり、それ以外の構成は実施例１と同じである。
【００２８】
図５（ａ）は、補助収納部９の取付板１３を、引き出し収納部５の前板部６の裏面に固定した状態を示す図である。この図５（ａ）に示すように、取付板１３の凹溝１４’は、断面フック状に形成されている。一方、収納プレート１５には、取付板１３の凹溝１４’に嵌合する嵌合部として、図５（ｂ）に示すように、本体部１６の上端から前方に突き出るように形成されたフック部１９’が形成されている。
【００２９】
図５（ｃ）は、収納プレート１５を、取付板１３に嵌合して装着することにより、引き出し収納部５の前板部６の裏面側に取り付けた状態を示している。この取り付け部を図５（ｄ）に拡大して示す。これらの図に示すように、収納プレート１５のフック部１９’を、取付板１３の凹溝１４’に係入して嵌合することで、収納プレート１５を取付板１３に着脱可能に装着することができる。
【００３０】
この変形例によれば、凹溝１４’は、取付板１３の板厚内でフック状に形成されているので、収納プレート１５を取付板１３にしっかりと装着でき、また収納プレート１５を前板部６に比較的、近接して取り付けることができるので、収納プレート１５と前板部６との間の無駄なスペースＳを少なくすることができる。
【実施例２】
【００３１】
図６〜８は、本発明に係るキャビネット１の実施例２を説明する図である。この実施例２のキャビネット１は、実施例１のキャビネット１と同じ構成であるが、実施例１のキャビネット１の構成に加えて、収納プレート１５に着脱可能な各種の保持部材を装着した構成を特徴とする。保持部材としては、収納プレート１５に収納する物品に応じていろいろな構成があるが、その例として、図６〜８に示す３つの実施の態様を説明する。
【００３２】
図６（ａ）に示す保持部材の実施の態様は、鍋蓋を保持するための鍋蓋用保持部材２８であり、図６（ｂ）で、この鍋蓋用保持部材２８をキャビネットに装着した状態を示している。
【００３３】
この鍋蓋用保持部材２８は、左右の保持片２９、２９と、左右の保持片２９、２９の間を結ぶように取り付けられた保持杆３０とから成る。保持片２９は、垂直部３１と水平部３２から成り、断面Ｌ型の形状をしている。垂直部３１の上端には、フック部３３が形成されている。
【００３４】
保持杆３０は、水平部３２とそのほぼ中央にＵ型の係合部３４から成る。鍋蓋用保持部材２８は、左右の保持片２９、２９のフック部３３、３３を、補助収納部９の取付板１３の上縁に引っ掛けることにより、収納プレート１５の背面側に着脱可能に装着できる。
【００３５】
鍋蓋３５は、保持杆３０と収納プレート１５の間に装入して突出部１７上に置き、鍋蓋３５の摘み３５’を保持杆３０の係合部３４に挿入することで、鍋蓋３５が倒れたり転がったりするようなことなく、しっかりと保持できる。
【００３６】
図７（ａ）に示す保持部材の実施の態様は、まな板を保持するためのまな板用保持部材３６であり、図７（ｂ）で、このまな板用保持部材３６をキャビネットに装着した状態を示している。このまな板用保持部材３６は、左右の保持片３７、３７から成る。保持片３７は、垂直部３８と把持部３９から成る。垂直部３８の上端には、フック部４０が形成されている。
【００３７】
把持部３９は、収納プレート１５の背面側に収納したまな板４１が倒れない把持突片４２を備えている。まな板用保持部材３６は、左右の保持片３７、３７のフック部４０、４０を、補助収納部９の取付板１３の上縁に引っ掛けることにより、収納プレート１５の背面側に着脱可能に装着できる。
【００３８】
まな板４１は、左右の把持突片４２、４２と収納プレート１５の間に装入して突出部１７上に置くと、まな板４１は左右の把持突片４２、４２で把持されるので、倒れたりすることなく、しっかりと保持できる。なお、まな板用保持部材３６は、まな板４１でなくても、収納プレート１５に収納された鍋蓋、皿、その他の物品の保持に使用してもよいことは言うまでもない。
【００３９】
左右の保持片３７、３７は、それぞれ独立して取付板１３の上縁に装着できるから、保持すべき物品の幅に合わせて、左右の保持片３７、３７の間を適宜調整することができる。従って、鍋蓋用保持部材２８のように、収納プレート１５の上面を一定幅だけ占有するようなことがなく、自由に使用できる。
【００４０】
図８（ａ）に示す保持部材の実施の態様は、包丁用保持部材４３（包丁差し）であり図８（ｂ）は、この包丁用保持部材４３をキャビネットに装着した状態を示している。この包丁用保持部材４３は、略長方形をしており、その上端には、フック部４４が形成されている。そして、包丁用保持部材４３における収納プレート１５と対向する面である前面には、横幅方向に延びるフック状突起４５が形成されている。
【００４１】
包丁用保持部材４３の背面側（引き出し収納部の内部に向かう面側）には、包丁収納部４６が形成されている。この包丁収納部４６には、鋸状に形成された上面４７を備えている。包丁収納部４６は、複数の包丁差込孔４８から構成されており、包丁差込孔４８の上端は、鋸状の上面４７に開口している。
【００４２】
包丁用保持部材４３の使用に際しては、その上端のフック部４４を、補助収納部９の取付板１３の上縁に嵌合するとともに、フック状突起部４５を収納プレート１５の背面に形成された断面フック状の嵌合溝２０に嵌合して、収納プレート１５の突出部１７上に置く。
【００４３】
これにより、包丁用保持部材４３を、収納プレート１５に着脱可能に、簡単に、しかも倒れたりすることなく、しっかりと装着できる。引き出し収納部５を前方に引き出し、収納すべき包丁４９は、上方から包丁差込孔４８に挿入することができる。
【００４４】
以上、本発明に係るキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４５】
本本発明に係るキャビネットは、上記のような構成であるから、キッチンのキャビネットだけでなく、洗面用のキャビネット、作業用のシンクキャビネット等、収納部を備えたキャビネットに適用可能である。
【図面の簡単な説明】
【００４６】
【図１】本発明に係るキャビネットの実施例１の構成を説明する図であり、（ａ）はキャビネットの斜視図であり、（ｂ）は要部の側面図である。
【図２】本発明に係るキャビネットの実施例１の構成を説明する図であり、（ａ）はキャビネットの要部の斜視図であり、（ｂ）は収納プレートの斜視図である。
【図３】本発明に係るキャビネットの実施例１の要部を説明する図であり、（ａ）は収納プレートを装着していない状態のキャビネットの側面図であり、（ｂ）は収納プレートの側面図であり、（ｃ）は収納プレートをキャビネットに装着した状態のキャビネットの側面図である。
【図４】（ａ）、（ｂ）は、本発明に係るキャビネットの実施例１の作用を説明する図である。
【図５】本発明に係るキャビネットの実施例１の変形例を説明する図であり、（ａ）は補助収納部を前板部に固定した状態を示す図であり、（ｂ）は収納プレートの側面図であり、（ｃ）は収納プレートをキャビネットに装着した状態のキャビネットの断面図であり、（ｄ）は（ｃ）の一部拡大図である。
【図６】本発明に係るキャビネットの実施例２の構成を説明する図であり、（ａ）は鍋用保持部材を示す斜視図であり、（ｂ）は鍋用保持部材をキャビネットに装着した状態を示す斜視図である。
【図７】本発明に係るキャビネットの実施例２の別の態様を説明する図であり、（ａ）はまな板用保持部材を示す斜視図であり、（ｂ）はまな板用保持部材をキャビネットに装着した状態を示す斜視図である。
【図８】本発明に係るキャビネットの実施例２のさらに別の態様を説明する図であり、（ａ）は包丁用保持部材を示す斜視図であり、（ｂ）は包丁用保持部材をキャビネットに装着した状態を示す斜視図である。
【符号の説明】
【００４７】
１  キャビネット                         
２  収納部                               
３  天板                                 
４  シンク                               
５  引き出し収納部                       
６  引き出し収納部の前板部               
７  引き出し収納部の側板                 
８  引き出し収納部の底板                 
９  補助収納部                           
１０  補助収納部の前面壁                 
１１  補助収納部の側壁
１２  補助収納部の底壁                   
１３  補助収納部の取付板                 
１４、１４’  補助収納部の取付板の凹溝 
１５  収納プレート                       
１６  収納プレート本体部                 
１７  収納プレート突出部                 
１８  折り返し部                         
１９  凸条部
１９’  フック部                             
２０  嵌合溝                             
２１  凭れバー                           
２２  キャビネットの側板                 
２３  凭れバーの水平部                   
２５  凭れバーの水平部の基端部           
２６  取手                               
２７  物品                               
２８  鍋蓋用保持部材                     
２９  保持片                             
３０  保持杆                             
３１  保持片の垂直部                     
３２  保持片の水平部                     
３３  保持片のフック部                   
３４  保持杆の係合部                     
３５  鍋蓋
３５’  鍋蓋の摘み                               
３６  まな板用保持部材                   
３７  まな板用保持部材の保持片           
３８  保持片の垂直部                     
３９  保持片の把持部                     
４０  保持片のフック部                   
４１  まな板                             
４２  把持突片                           
４３  包丁用保持部材                     
４４  フック部                           
４５  フック状突起                       
４６  包丁収納部                         
４７  鋸状に形成された上面               
４８  包丁差込孔 
４９  包丁                        
【図１】
0005256703.tif 000002
【図２】
0005256703.tif 000003
【図３】
0005256703.tif 000004
【図４】
0005256703.tif 000005
【図５】
0005256703.tif 000006
【図６】
0005256703.tif 000007
【図７】
0005256703.tif 000008
【図８】
0005256703.tif 000009